(57)【要約】  本発明は、電気機器のケーシングを形成するアセンブリであって、前記アセンブリが、電気機器の少なくとも一つの第1の電子コンポーネントを受容する第1のケーシングと、電気機器の少なくとも一つの第2の電子コンポーネントを受容する第2のケーシングと、第1の接合部分壁として知られる第1のケーシングの第1の壁及び第2の接合部分壁として知られる第2のケーシングの第2の壁であり、互いに押圧してアセンブリを形成するように配置された、第1及び第2の壁と、を備えた、電気機器のアセンブリに関する。本発明によれば、第1及び第2のケーシングはそれぞれ、他方のケーシングに対して反対方向に、第1及び第2の接合部分壁からそれぞれ延びた第1及び第2の側壁としてそれぞれ知られる少なくとも一つの側壁を備えており、第2の側壁は、電気コネクタを受容する接続開口として知られる開口及び電気コネクタの封止部を受容する接続部として知られる開口周りの部分を含み、第1及び第2の側壁が、接続部が第1のケーシング側に延びて第1の側壁の一表面に対向するように配置されている。【選択図】図１５
2018535555.tif 000002
【特許請求の範囲】
【請求項１】
電気機器のケーシングを形成するアセンブリ(100)であって、前記アセンブリ(100)が、
前記電気機器の少なくとも一つの第1の電子コンポーネント(300、310、370、315)を受容する第1のケーシング(110)と、
前記電気機器の少なくとも一つの第2の電子コンポーネント(320、330、340、350)を受容する第2のケーシング(120)と、
前記第1のケーシング(110)の第1の接合部分壁(111)として知られる第1の壁及び前記第2のケーシング(120)の第1の接合部分壁(121)として知られる第2の壁であり、互いに押圧して前記アセンブリ(100)を形成するように配置された、第1及び第2の壁と、
を備え、
前記第1のケーシング(110)及び前記第2のケーシング(120)がそれぞれ、他方のケーシングに対して反対方向に、前記第1の接合部分壁(111)及び前記第2の接合部分壁(121)からそれぞれ延びた第1の側壁(116c)及び第2の側壁(126c)としてそれぞれ知られる少なくとも一つの側壁を備えており、
前記第2の側壁(126c)が、電気コネクタを受容する接続開口(20)として知られる開口及び前記電気コネクタの封止部(381a)を受容する接続部(22)として知られる前記開口を囲む部分を有し、前記第1の側壁(111)及び前記第2の側壁(121)が、前記接続部(22)が前記第1のケーシング(110)側に延びて前記第1の側壁(116c)の一表面(23)に対向するように配置されている、電気機器のアセンブリ(100)。
【請求項２】
前記ケーシングを形成する前記アセンブリ(100)の外側から前記電気機器(1)のコンポーネントを接続する電気コネクタ(381)を受容するように前記接続開口(20)が配置された状態で、前記第1の側壁(116c)及び前記第2の側壁(126c)がそれぞれ、それぞれのケーシングの外側壁を形成している、請求項1に記載の電気機器のアセンブリ(100)。
【請求項３】
前記第2の側壁(126c)の前記接続部(22)の少なくとも一つの部分(22a)が、前記第1の側壁(116c)の前記表面(23)上に位置付けられた対応する突出部(24)に嵌入している、請求項1又は2に記載の電気機器のアセンブリ(100)。
【請求項４】
前記接続部(22)の前記部分(22a)が、前記突出部(24)の深さに適合するように設計された厚さを有するとともに、前記機器を受容して前記電気コネクタ(381)の前記封止部(381a)を前記接続部(22)に締結する孔を有する、請求項3に記載の電気機器のアセンブリ(100)。
【請求項５】
前記第1の接合部分壁(121)が突起(26)を備え、前記突起(26)が、前記接続開口(20)の縁部と係合して、前記電気コネクタ(381)と前記電気機器(1)のコンポーネントとの間の電気接続の通路を生成しており、
前記第1の接合部分壁(111)が、前記第1の接合部分壁(121)からの前記突起(26)を受容するように配置された突出部(27)を備える、請求項1から4のいずれか一項に記載の電気機器のアセンブリ(100)。
【請求項６】
請求項1から5のいずれか一項に記載のアセンブリ(100)と、
前記第1のケーシング(110)に収容された少なくとも一つの第1の電気コンポーネント(300、310、370、315)と、
前記第2のケーシング(120)に収容された少なくとも一つの第2の電気コンポーネント(320、330、340、350)と、
前記接続開口(20)を通過し、前記電気機器(1)の電気コンポーネント(320)に電気的に接続された第1の電気コネクタ(381)であり、前記第1の電気コネクタ(381)の封止部(381a)が前記接続部(22)に嵌合した、第1の電気コネクタ(381)と、
を備える、電気機器(1)。
【請求項７】
前記第1のケーシング(110)に収容されたインバータのスイッチ及び/又はDC/DC電圧コンバータのスイッチと、
前記第2のケーシング(120)に収容されたフィルタリング及び整流コンポーネントと、
を備える、請求項6に記載の電気機器(1)。
【請求項８】
前記第1の電気コネクタ(381)が、前記電気機器(1)のコンポーネントと前記電気機器(1)の外側のコンポーネントとの間で電力を交換するように設計されている、請求項6又は7に記載の電気機器(1)。
【請求項９】
前記第1の壁(111)及び前記第2の壁(121)がそれぞれ、前記第1の電気コンポーネント(311)と前記第2の電気コンポーネント(340)との間の電気接続の通路を生成するように相互に嵌入した縁部を含む少なくとも一つの貫通孔(114、124)を有する、請求項6から8のいずれか一項に記載の電気機器(1)。
【請求項１０】
前記第1のコンポーネント(311)と前記第2のコンポーネント(340)との間の前記電気接続が、
電気絶縁材料被膜(362)で覆われた導電性剛性部(361)と、
前記第1のコンポーネント(311)の電気端子に電気的に接続された第1の端部(361a)と、
前記第2のコンポーネント(340)の電気端子に電気的に接続された第2の端部(361b)と、
を備えた第2の電気コネクタ(360)により提供されている、請求項9に記載の電気機器(1)。
【発明の詳細な説明】
【技術分野】
【０００１】
本発明は、特に自動車産業用途の電気機器のケーシングを形成するアセンブリ及び本発明に基づくアセンブリを備えた電気機器に関する。
【背景技術】
【０００２】
自動車の車載電気機械を制御するインバータがよく知られている。車両の車載機械の使用によって、車両の車輪を駆動することができる。このようなインバータには、通電により電気機械に給電するコンポーネントを備えたパワー電子ユニットのほか、パワー電子ユニットのコンポーネントを制御するコンポーネントを備えた電子制御ユニットを備え得る。
【０００３】
同様に、車両に内蔵され、車両の第1の電力回路と第2の電力回路との間で電圧を変換するDC/DC電圧コンバータも知られている。一般的に、第1の電力回路は、60V未満すなわちおよそ18V又は12Vの電圧を供給する低電圧回路である一方、第2の電力回路は、60V超すなわちおよそ100V、200V、或いは400V超の電圧を供給する高電圧回路である。車両の集積密度を最適化するため、インバータ及びDC/DCコンバータは、車両内側の単一の電気機器に組み付けることが可能である。
【０００４】
インバータ及びDC/DCコンバータは、それぞれの環境からの発熱のみならず、機械が高電圧で動作する場合又はDC/DCコンバータが高低電圧変換を実行する場合に流れる電力の高定格に起因する発熱にも曝される。
【０００５】
インバータ及びDC/DCコンバータを効率的に冷却するため、2区画電気機器ケーシングが一般的には設けられており、ケーシングの二つの区画間に冷却システムが搭載された状態で、インバータコンポーネント及びDC/DCコンバータコンポーネントが各区画に嵌め込まれている。例えば、特許出願KR20110139038 A号の公開公報は、第1のケーシングにインバータコンポーネントを有し、第2のケーシングにDC/DCコンバータコンポーネントを含む電気機器ケーシングを記載している。第1のケーシングの壁のうちの一つが第2のケーシングの壁を押圧して、冷媒の流路を形成している。
【発明の概要】
【発明が解決しようとする課題】
【０００６】
ただし、2区画ケーシングの構造は複雑であり、冷却システムの封止(密封性)又は2区画ケーシングへのコンポーネントの組込みに関する問題が生じる。
【課題を解決するための手段】
【０００７】
本発明は、電気機器のケーシングを形成するアセンブリであって、前記アセンブリが、
電気機器の少なくとも一つの第1の電子コンポーネントを受容する第1のケーシングと、
電気機器の少なくとも一つの第2の電子コンポーネントを受容する第2のケーシングと、
第1の接合部分壁として知られる第1のケーシングの第1の壁及び第2の接合部分壁として知られる第2のケーシングの第2の壁であり、互いに押圧してアセンブリを形成するように配置された、第1及び第2の壁と、
を備え、
第1のケーシング及び第2のケーシングがそれぞれ、他方のケーシングに対して反対方向に、第1の接合部分壁及び第2の接合部分壁からそれぞれ延びた第1の側壁及び第2の側壁としてそれぞれ知られる少なくとも一つの側壁を備えており、
第2の側壁が、電気コネクタを受容する接続開口として知られる開口及び電気コネクタの封止部を受容する接続部として知られる開口を囲む部分を含み、前記第1の側壁及び前記第2の側壁が、接続部が第1のケーシング側に延びて第1の側壁の一表面に対向するように配置されている、電気機器のアセンブリを提案することによって、当業界で既に直面している問題の少なくとも一部に対処しようとするものである。
【０００８】
接続部が第1のケーシングに重なり合えるようにすることで、第2の側壁の高さが第2の接合部分壁に対して低くなるため、特に第2のケーシングの高さにおいて、電気機器のケーシングを形成するアセンブリの全体寸法が抑えられる。
【０００９】
本発明の一実装態様によれば、ケーシングを形成するアセンブリの外側から電気コネクタを受容するように前記接続開口が配置された状態で、前記第1の側壁及び前記第2の側壁はそれぞれ、それぞれのケーシングの外側壁を形成している。
【００１０】
本発明の一実装態様によれば、第2の側壁の接続部の少なくとも一部は、第1の側壁の表面上に位置付けられた対応する突出部に嵌合している。
【００１１】
本発明の一実装態様によれば、接続部の前記部分は、突出部の深さに適合するように設計された厚さを有するとともに、機器を受容して前記電気コネクタの封止部を接続部に締結する孔を有する。
【００１２】
本発明の一実装態様によれば、
第2の接合部分壁が突起を備え、前記突起は、接続開口の縁部と係合して、電気コネクタと電気機器のコンポーネントとの間の電気接続の通路を生成しており、
第1の接合部分壁は、第2の接合部分壁からの突起を受容するように設計された突出部を備えている。
【００１３】
また、本発明は、
本発明に従って設計されたアセンブリと、
第1のケーシングに収容された少なくとも一つの第1の電気コンポーネントと、
第2のケーシングに収容された少なくとも一つの第2の電気コンポーネントと、
接続開口を通過し、電気機器の電気コンポーネントに電気的に接続された第1の電気コネクタであり、第1の電気コネクタの封止部が前記接続部に締結された、第1の電気コネクタと、
を備えた、電気機器に関する。
【００１４】
本発明の一実装態様によれば、電気機器は、
第1のケーシングに収容されたインバータのスイッチ及び/又はDC/DCコンバータのスイッチと、
第2のケーシングに収容されたフィルタリング及び整流コンポーネントと、
を備えている。
【００１５】
本発明の一実装態様によれば、第1の電気コネクタの機能は、電気機器のコンポーネントと電気機器の外側のコンポーネントとの間で電力を交換することである。
【００１６】
本発明の一実装態様によれば、第1の壁及び第2の壁はともに、第1の電気コンポーネントと第2の電気コンポーネントとの間の電気接続の通路を生成するようにつながった縁部を含む少なくとも一つの貫通孔を有する。
【００１７】
本発明の一実装態様によれば、第1のコンポーネントと第2のコンポーネントとの間の電気接続は、
電気絶縁材料で被覆された剛性導電部と、
第1のコンポーネントの電気端子のうちの一つに接続された第1の端部と、
第2のコンポーネントの電気端子のうちの一つに接続された第2の端部と、
を備えた第2の電気コネクタにより提供される。
【００１８】
添付の図面を用いることにより、以下の説明において、本発明の詳細を示す。図面は、本明細書の内容の説明を目的としているに過ぎず、本発明の範囲を何ら制限するものではないことに留意するものとする。
【図面の簡単な説明】
【００１９】
【図１】本発明に基づく例示的な電気機器1の斜視図である。
【図２】本発明に基づく例示的な電気機器1の斜視図である。
【図３】カバーが取り外された電気機器の第1のハウジングの図である。
【図４】カバーが取り外された電気機器の第2のハウジングの図である。
【図５】電気機器の断面図である。
【図６】コンポーネントの一部が取り外された電気機器の第1のハウジングの別の図である。
【図７】コンポーネントの一部が取り外された電気機器の第1のハウジングの別の図である。
【図８】電気機器のケーシングを形成するアセンブリの断面図である。
【図９】電気機器のケーシングを形成するアセンブリの断面図である。
【図１０】アセンブリの第1のケーシングの斜視図である。
【図１１】アセンブリの第1のケーシングの斜視図である。
【図１２】アセンブリの第1及び第2のケーシング間に挿入された封止接合部を示した図である。
【図１３】アセンブリの第2のケーシングの斜視図である。
【図１４】アセンブリの第2のケーシングの斜視図である。
【図１５】ケーシングを形成するアセンブリの斜視図である。
【図１６】ケーシングを形成するアセンブリの詳細図である。
【図１７】ケーシングを形成するアセンブリの詳細図である。
【図１８】ケーシングを形成するアセンブリの詳細図である。
【図１９】ケーシングを形成するアセンブリの詳細図である。
【図２０】電気機器に用いられる電気コネクタの斜視図である。
【図２１】被膜のない図20のコネクタの斜視図である。
【発明を実施するための形態】
【００２０】
図1及び図2は、本発明に基づく実例的な電気機器1の斜視図である。電気機器1は、当該電気機器のコンポーネントを収容するアセンブリ100を備えている。また、電気機器1は、回転電気機械等の電気機械(例えば、自動車の車輪を駆動するように設計された機械)に給電するインバータを備えている。電気機器1は、車両の第1の直流回路と第2の直流回路との間で電圧を変換するDC/DCコンバータを備えている。
【００２１】
電気機器1のアセンブリ100は、第1のケーシング110及び第2のケーシング120を備えている。第1のケーシング110は、図3及び図5〜図7に示すように、電気機器1の一つ以上の第1のコンポーネントを受容する。第2のケーシング120は、図4及び図5に示すように、第2の電気コンポーネントのうちの一つ以上を受容する。
【００２２】
第1のケーシング110及び第2のケーシング120の例を図8〜図19に示す。第1のケーシング110は、第2のケーシング120の第2の壁121に押圧して電気機器1のケーシングを形成するアセンブリ100を形成する第1の壁111を備えている。以下、第1の壁111及び第2の壁121はそれぞれ、第1の接合部分壁111及び第2の接合部分壁121と称する。より具体的に、第1のケーシング110が第2のケーシング120に搭載された場合、第1の接合部分壁111及び第2の接合部分壁121の外側縁部は、相互に対向する。
【００２３】
各ケーシング110、120はそれぞれ、第1の接合部分壁111及び第2の接合部分壁121からそれぞれ延びた側壁116、126を備えている。より具体的に、側壁116、126は、第1の接合部分壁111又は第2の接合部分壁121の外側縁部から横方向に延び、それによって第1のハウジング117及び第2のハウジング127をそれぞれ形成している。第1のケーシング110及び第2のケーシング120が重ねて搭載された場合、第1のケーシング110の側壁116及び第2のケーシング120の側壁126は、第1のケーシング110に対して反対方向に延びる。各ハウジング117、127は、側壁116、126の遠位端にそれぞれ搭載されたカバー118、128で閉塞されていてもよい。結果として、第1の接合部分壁111が第1のケーシング110の底を形成する一方、第2の接合部分壁121が同様に第2のケーシング120の底を形成している。第1の接合部分壁111及び第2の接合部分壁121は、第1のハウジング117と第2のハウジング127との接合部分を形成している。より具体的に、第1のケーシング110の第1の側壁116が第1のケーシング110の外側壁を形成する一方、第2のケーシング120の第2の側壁126が同様に第2のケーシング120の外側壁を形成している。
【００２４】
各ケーシング110、120において、側壁116、126及び接合部分壁111、121は、単一のブロックを形成している。
【００２５】
第2の接続壁126cとして知られる第2の側壁126のうちの一つは、電気機器1から電気コネクタ381(図2に示す)を受容する接続開口として知られる開口20を有する。電気コネクタ381は、電気機器1のケーシングを形成するアセンブリ100の外側に位置付けられた電気機器1のコンポーネント320につながっている。第2の接続壁126cは、接続開口20を囲む接続部として知られる部分22を含む。より具体的に、接続部22は、接続開口20を直接囲んでいる。接続開口20が電気コネクタ381を受容する場合は、電気コネクタ381の封止部381aが接続部22を押圧して、電気コネクタ381を密封する。電気コネクタ381の封止部381aは、非導電性のプラスチック材料で作成可能である。また、封止部381aは、絶縁を可能にするとともに、ネジを保持して接続部22に締結することによって、コネクタ381を接続開口20に対して機械的に固定する。第2の接続壁126cの接続部22は、第1のケーシング110側に延びて、第1の接続壁116cとして知られる第1の側壁116のうちの一つの表面23に対向する。表面23は主に、第1のケーシング110の外側表面である。結果として、第2の接続壁126cの接続部22は、第1の接続壁116cの一部を閉塞するのに役立つ。したがって、第2の接続壁126cの接続部22は、第2の座面123を越えて、第1のケーシング110側に延びている。
【００２６】
第1及び第2の側壁116、126の高さは、第1の接合部分壁111及び第2の接合部分壁121を併せて、第1及び第2のコンポーネントを収容するのに第1のハウジング117及び第2のハウジング127で利用可能な容積を決定する。従来の標準的なケーシングにおいて、第1の側壁116及び第2の側壁126は、コンポーネントの収容に必要な高さよりも高い場合がある。より詳細には、コネクタの封止部は、適当な表面への搭載により密封する必要がある。これにより、ケーシング上の接続部の関連エリア及び接続開口のサイズを考えた場合、接続部の空間が小さくなるため、接続部を有する壁の寸法も小さくなる。電気機器1のケーシングを形成するアセンブリ100においては、第2のケーシング120の接続部22が第1のケーシング110に重なり合えるようにすることで、第2のケーシング120の側壁126の高さから応力が取り除かれる。その結果、第2のケーシングの側壁126の高さは、第2のコンポーネントを収容するのに必要な高さへと厳密に低くなり得る。加えて、接続部22は、単一のブロックとして、封止の問題を回避するのが望ましい。
【００２７】
より具体的に、第1の接合部分壁111及び第2の接合部分壁121は、第1の座面113及び第2の座面123(図8及び図9に示す)として知られるそれぞれの表面の高さで互いに押圧される。第1の接合部分壁111は同様に、第1の座面113の反対に配置され、第1のハウジング117中に位置付けられた第1の接合部分面として知られる第1の表面153を備えている。第2の接合部分壁121は、第2の座面123の反対に配置され、第2のハウジング127中に位置付けられた第2の接合部分面として知られる第2の表面154を備えている。第1の側壁116が第1の接合部分壁111の第1の接合部分面153から延びている一方、第2の側壁126は、第2の接合部分壁121の第2の接合部分面154から延びている。
【００２８】
第2の接続壁126cの接続部22は、第1の接続壁116cに位置付けられた接続部25の面と接続部22の面が同一平面となるように、第1の接続部116cの表面23に対して搭載されている。これにより、アセンブリ100における何らかの位置ずれが最小限に抑えられ、組込みが容易となる。
【００２９】
より詳細には、第2の接続壁126cの接続部22は、第1のケーシング110の対応する突出部24に嵌入している。実際、突出部24は、第1の接続壁116cの表面23に位置付けられている。第1のケーシング110に配置された突出部24によって、第1のハウジング117における空間の喪失が最小限に抑えられるとともに、第1のハウジング117におけるコンポーネントの集積密度に対する影響はない。
【００３０】
具体的には、接続部22の部分22aのみが突出部24に嵌入している。部分22aの厚さは、突出部24の深さに適合する。実際、部分22aは、機器を受容して電気コネクタ381の封止部381aを締結できるように、接続部22の残りの部分よりも厚い。したがって、部分22aは、例えばネジを保持する孔を有していてもよい。部分22aをより厚くして締結装置を受容できるようにすることで、電気コネクタ381の封止部を接続部22に結合する締結装置を収容するのに十分な材料が存在する。その他の部分では、接続部22の厚さを小さくすることにより、第2のケーシング120の「溶融/鋳造」後の冷却を可能にする。
【００３１】
実際、第2の接合部壁120は、接続開口20の縁部と係合して、電気コネクタ381と電気機器1のコンポーネントとの間の電気接続の通路を生成する突起26を備えている。具体的に、突起26は、第2の座面123から延びて、接続開口20の縁部に接触する一端と壁を形成している。このように、突起26は、電気コネクタ381aの導電体の通路を生成している。第1の接合部分壁111には、第2の接合部分壁121の突起26を受容する突出部27が配置されている。突起26があることにより、第2の接続壁126cの接続開口20を第1のケーシング110側にシフト可能であるため、第2の接続側壁126cの高さに対する応力がさらに最小限に抑えられる。
【００３２】
電気機器1には、第1の接合部分壁111が第2の接合部分壁121上にセットされた場合に第1の接合部分壁111及び第2の接合部分壁121によって形成される冷却システム200が装備されていてもよい。冷却システム200は、電気機器1を冷却する液体を受容する。第1の接合部分壁111には、第2の壁120の別の溝122に対向して冷却システム200を形成する溝112を含む。
【００３３】
実際、第1の溝112及び第2の溝122は、対向して配置され、冷却液が流れる冷却システムの流路210を形成している。結果として、冷却路の直径は、二つの壁で分割されている。二つの壁は、冷却システム200の形成によって生じる壁厚に対する応力を共有して、両者間で第1のハウジング117と第2のハウジング127とを均衡させている。
【００３４】
第1の接合部分壁111及び第2の接合部分壁121は、座面113、123の高さで相互に押圧するように配置されている。座面113、123は、冷却システム200を形成する接合部分壁111、121のエリア111a、121aにおいて実質的に平坦である。第1の接合部分壁111の座面113が第1の溝112の縁部を含む一方、第2の接合部分壁121の座面123は、第2の溝122の縁部を含む。第1の溝112又は第2の溝122の縁部は、溝112、122と溝112、122が深くなる表面との境界である。第1の溝112が深くなる表面は実際、第1の接合部分壁111の座面113である。一方、第2の溝122が深くなる表面は実際、第2の接合部分壁121の座面123である。具体的に、第1の溝112又は第2の溝122の縁部は、それぞれの座面113、123の一部且つ一区画である。
【００３５】
第1の接合部分壁111は、少なくとも一つの貫通孔114を有していてもよく、第2の接合部分壁121もまた、少なくとも一つの貫通孔124を有していてもよく、両縁部の一方が他方に重なって接合されることで、第1のケーシング110により形成された第1のハウジング117と第2のケーシング120により形成された第2のハウジング127との間に通路が生成されている。実際、両貫通孔114、124は、第1の接合部分面153と第2の接合部分面154との間の通路を形成する。貫通孔114、124は、冷却システム200を形成する第1の壁111及び第2の壁121のエリア111a、121aの外側に形成されている。
【００３６】
第1の接合部分壁111と第2の接合部分壁121との間には、封止接合部が挿入されていてもよい。例示的な封止接合部130を図12に示す。封止接合部130は、冷却システム200を形成する第1の接合部分壁111及び第2の接合部分壁121のエリア111a、121aの周りを密封している。この点に関して、封止接合部130は実際、第1の接合部分壁111及び第2の接合部分壁121の座面113、123間に挿入されている。封止接合部130は、材料片134、135、136とは別に形成されている場合、冷却システム200に位置付けられた部分にいかなる材料も含んでいなくてもよい。これらの材料片134、135、136は、封止接合部130の剛性を高めて、封止接合部130の取り扱い及び搭載を容易にする。これらの材料片134、135、136は、所要の剛性を得るとともに開口131、132、133を等しく形成するのにちょうどピッタリな幅を有していてもよい。封止接合部130は、冷却システム200周り、特に、冷却システム200を形成する壁111、121のエリア111a、121aの周りの閉じた線に沿って封止する。同様に、封止接合部130は、第1の接合部分壁111及び第2の接合部分壁121に生成された通路の周りを封止する。したがって、封止接合部130は、前記通路の周りを封止する縁部を備えた孔137を有することになる。また、封止接合部130は、各機器を通過させて第1の接合部分壁111を第2の接合部分壁121に締結し得る孔139を有していてもよい。
【００３７】
冷却システム200は、冷却液が当該冷却システム200に入出する入力ポート201及び出力ポート202を備えていてもよい。入力ポート201及び出力ポート202は、第2のケーシング120、具体的には第2のケーシング120の側壁126に組み込まれている。実際、入力/出力ポート201、202は、側壁116の管状開口である。入力/出力ポート201、202は、第2の接合部分壁121の第2の溝122に接続されて冷却液を供給又は抽出する管203、204により延長されている。入力/出力ポート201、202には、ノズル205、206が挿入され、冷却液供給システムに対する調整を行っていてもよい。
【００３８】
図7に示すように、第1のケーシング110は、例えば一つ以上の第1のコンポーネント300、310を受容していてもよい。第1のハウジング117には、インバータに組み込まれたパワー電子モジュール300を含んでいてもよい。パワー電子モジュール300は、電気機械へ供給するためのコンポーネントを備えている。第1のハウジング117には、DC/DCコンバータに嵌め込まれた絶縁金属基板(IMS)電子カード310を含んでいてもよい。IMSカードは、自動車の第1及び第2の電力回路間で電圧を変換するコンポーネントを含む。
【００３９】
これらのパワー電子モジュール300及びIMSカード310は、それぞれの表面が第1の接合部分壁111に接触した状態で、第1の接合部分壁111に搭載されていてもよい。実際、第1のコンポーネント300、310は、第1の溝111を有する側と反対側の第1の接合部分壁111の一方に位置付けられている。具体的に、パワー電子モジュール300又はIMSカード310は、より効果的な冷却のため、少なくとも第1の溝111の反対の表面に位置付けられていてもよい。パワーモジュール300又はIMSカードのコンポーネントには、半導体トランジスタ等のような電子スイッチを含む。
【００４０】
図4に示すように、第2のケーシング120は、第2のハウジング127に収容された一つ以上の第2のコンポーネント320、330、340、350を受容していてもよい。第2のハウジング127には、電気機器1の入力信号をフィルタリングする電磁適合性(又は、EMC)フィルタ320及び/又は電気機器1の出力信号をフィルタリングするEMCフィルタ330、パワーモジュール300に供給される電流を整流するためのインダクタンス並びに電気機器1のDC/DCコンバータ用の変圧器を備えた磁気コンポーネント340及び/又は電子モジュール300に組み込まれた電気スイッチのゼロ電圧スイッチング(ZVS)を行う容量性モジュール350、並びに/又はIMSカード310を含んでいてもよい。第2のコンポーネント320、330、340、350は、それぞれの表面のうちの一つが第2の接合部分壁121に接触した状態で、第2の接合部分壁121に搭載されていてもよい。実際、第2のコンポーネント320、330、340、350は、第2の溝112を有する側と反対側の第2の接合部分壁121の一方に位置付けられている。より効果的な冷却のため、第2のコンポーネント320、330、340、350は、可能な限り最大の範囲で、第2の溝121の反対側に少なくとも一部が位置付けられていてもよい。
【００４１】
第1のコンポーネント300、310は、特に第1の接合部分壁111及び第2の接合部分壁121に形成された貫通孔114、124により形成された通路を通って、第2のコンポーネント320、330、340、350に電気的に接続されていてもよい。図5は、電気コネクタ360によるIMSカード310の電気コネクタ311と磁気コンポーネント340の端子との間の例示的な電気接続を示している。
【００４２】
電気接続360は、図20及び図21により詳しく示している。これは、二つの導電性剛性部361を含む。剛性部361は、電気絶縁被膜362、具体的にはオーバモールドにより塗布されたプラスチック材料で覆われている。各剛性部361には、第1のコンポーネントの端子、特に、IMSカード310の電気コネクタ311の端子に接続された第1の端部361a及び第2のコンポーネントの端子、具体的には磁気コンポーネント340の端子に接続された第2の端部361bを含む。電気接続は、溶接又はハンダ付けにより行われている。端部361a、361bは、中間部361cによって一体的に接続されている。各端部361a、361bは、第1の端部361a間の距離及び第2の端部361b間の距離よりも短い距離だけ両部分361の中間部361cが離れるように、屈曲部によって中間部361cに接続可能である。こうすることにより、中間部361c上の絶縁材料が少なくなるため、コネクタ360の取り扱いが向上するとともに、そのコストが最小限に抑えられる。ただし、被膜362には、屈曲部によって第1の端部361aを中間部362から分離する前に中間部362上に位置付けられたガイド装置363を含んでいてもよい。ガイド装置363は、電気コネクタ360の主方向Δに対して横方向に延びたバー363aを備えている。電気コネクタ360の主方向Δは実際のところ、中間部361cが延びる方向である。接合部分壁111、121により形成された接続通路に電気コネクタ360が搭載されている場合、主方向Δは、第1のハウジング117から第2のハウジング127に向かって延びている。各端部において、クロスバー363aは、第2の端部361bに向かって主方向Δに延びる突起363bを有する。ガイド装置363は、第1の接合部分壁111及び第2の接合部分壁121の貫通孔114、124により生成された通路において、電気コネクタ360を位置決めするのに役立つ。
【００４３】
電気コネクタ360は、単一の第1のコンポーネントと単一の第2のコンポーネントとの間の電気接続を与える場合のように、単一の導電片361を備えていてもよい。したがって、導電片361は、直線状のブレードであってもよい。
【００４４】
本発明の一実装態様によれば、電気機器1のインバータ及びDC/DCコンバータの電子スイッチは、二つのケーシング110、120の一方に収容されている。一方、電気機器1のフィルタリング及び整流コンポーネント320、330、340、350は、他方のケーシングに収容されている。このように、フィルタリングコンポーネントは、インバータとDC/DCコンバータとの間で共有されている。さらに、スイッチを同じケーシングに収容することにより、これらを単一の制御ユニット370で制御しやすくなる。図5に示すように、制御ユニット370は、スイッチと同じケーシングに収容されていてもよい。制御ユニット370は、パワー電子モジュール300及びIMSカード310のスイッチを制御するコンポーネント371を含む電子カードであってもよい。具体的に、電気機器1のインバータ及びDC/DCコンバータの電子スイッチは、第1のケーシング110に収容されており、電気機器1のフィルタリング及び整流コンポーネント320、330、340、350は、第2のケーシング120に収容されている。
【００４５】
第1のケーシング110及び第2のケーシング120は、第1の接合部分壁111を第2の接合部分壁121に保持する締結装置により一体的に結び付けられてされている。締結装置は、第1の接合部分壁111及び第2の接合部分壁121の対応する孔T1及びT2に嵌入されたネジであってもよい。また、締結装置は、第1のケーシング110及び第2のケーシング120の側壁116、126により保持されたクリップであってもよい。
【００４６】
電気機器1は、当該電気機器のコンポーネントと車両のオペレータ/ドライバ等の電気機器の外側の関係者との間でデータ信号を交換する信号コネクタ380を備えていてもよい。電気機器1は、当該電気装置1のコンポーネントに電力を供給するパワー入力コネクタ381を備えていてもよい。実際のところ、パワー入力コネクタ381は、電気機器1のインバータ及び/又はDC/DCコンバータの入力に電力を供給するため、自動車の第1の電力回路、すなわち、車両の第1の電力回路の蓄電ユニットとの電気接続を可能にする。パワー出力コネクタ382によって、電気機器1のインバータとインバータが制御する電気機械の相との間で電力が伝達されるようになっていてもよい。また、DC/DC出力電気コネクタ383の使用により、電気機器1のDC/DCコンバータと車両の第2の電力回路、すなわち、第2の電力回路の蓄電ユニットとの間で電力が伝達されるようになっていてもよい。第1の電力回路が高電圧回路である一方、第2の電力回路は低電圧回路であってもよい。これらの電気コネクタ380、381、382、383はすべて、図2に示す電気機器1のケーシングを形成するアセンブリの一方側に位置付けられている。実際のところ、これらの電気コネクタ380、381、382、383は、いずれもアセンブリ100の同じ側に位置付けられた第1のケーシング110及び第2のケーシング120の側壁116、126に搭載されている。実際、パワー入力コネクタ381は、第2の接続壁126cの接続部22上に位置決めされている。パワー出力コネクタ382は、第1の接続壁116cの接続部25上に位置決めされている。具体的に、パワー入力コネクタ381は、電気機器1の入力信号をフィルタリングするEMCフィルタ320に電気的に接続されている。
【００４７】
電気機器1は、当該電気機器1の内側の湿気を制御する通気口385を有していてもよい。通気口385は、電気機器1のケーシングを形成するアセンブリ100の一方側に配置されることになる。例えば、第1のケーシング100の側壁116に配置されていてもよい。また、第2のケーシング120の側壁126に配置されていてもよい。
【００４８】
第1の接合部分壁111は、第2の壁120の開口125に接続された縁部を有する貫通孔115を含んでいてもよい。また、第2の接合部分面154からの突起156が開口125の縁部から延びている。図7に示すように、突起156は、容量性ブロック315を収容する空洞151を生成している。容量性ブロック315は、いくつかのコンデンサ316を含む。これは、インバータ、具体的にはパワー電子モジュール300及びDCコンバータ、具体的にはIMSカード310に接続されている。実際のところ、容量性ブロック315は、車両の第1の電力回路とパワー電子モジュール300及びIMSカード310との間の電気接続に位置付けられている。これは、パワー電子モジュール300及びIMSカード310のすぐ隣に位置付けられた予備電源として機能し、特に、それぞれのスイッチに対する分割に用いられる。この点に関して、容量性ブロック315は、電気接続バー(図示せず)によって、パワーモジュール300及びIMSカードに接続されている。第1の接合部分壁111の貫通孔115は、冷却システム200を形成するように設計された第1の接合部分壁111のエリア111aの外側に位置付けられている。第2の接合部分壁121の開口125は、冷却システム200を形成するように設計された第2の接合部分壁121のエリア121aの外側に位置付けられている。封止接合部は、容量性ブロック315が通過する孔138を有する。
【００４９】
本発明は、上述の例だけに限定されない。図面は、他のいくつかの実装方法と組み合わせて実装可能な方法の具体例を示しているに過ぎない。ただし、特許請求の範囲に結論付けられる通り、実装方法に関する仕様は、方法ごとに相互に独立していてもよいし、互いに組み合わせて実装されていてもよい。
【図１】
2018535555.tif 000003
【図２】
2018535555.tif 000004
【図３】
2018535555.tif 000005
【図４】
2018535555.tif 000006
【図５】
2018535555.tif 000007
【図６】
2018535555.tif 000008
【図７】
2018535555.tif 000009
【図８】
2018535555.tif 000010
【図９】
2018535555.tif 000011
【図１０】
2018535555.tif 000012
【図１１】
2018535555.tif 000013
【図１２】
2018535555.tif 000014
【図１３】
2018535555.tif 000015
【図１４】
2018535555.tif 000016
【図１５】
2018535555.tif 000017
【図１６】
2018535555.tif 000018
【図１７】
2018535555.tif 000019
【図１８】
2018535555.tif 000020
【図１９】
2018535555.tif 000021
【図２０】
2018535555.tif 000022
【図２１】
2018535555.tif 000023
【国際調査報告】
2018535555.tif 000024
2018535555.tif 000025
2018535555.tif 000026
2018535555.tif 000027